(57)【要約】【課題】食器等の洗浄を行う食器洗い機において、洗浄時に洗浄ノズルから噴射された洗浄水が食器類や洗浄槽内に衝突することで発生して漏出する音を抑制し、食器洗い機の騒音を低減する。【解決手段】筐体１と、筐体１内に設けられる洗浄槽３と、食器類２が載置される食器かご５と、洗浄水を加圧する洗浄ポンプ８と、洗浄ポンプ８に接続されて洗浄水を噴射する洗浄ノズル６と、洗浄槽３に外気を導入する送風装置９と、洗浄槽３内の空気を排気する排気経路１２と排気口１１とを備えた食器洗い機において、排気経路１２は排気ガイド１３により形成されて洗浄槽３の内部と排気口１１とを連通し、排気ガイド１３は、多重壁構造で中間空気層１３ａが構成されたものである。【選択図】図１
2018175998.tif 000002
【特許請求の範囲】
【請求項１】
筐体と、前記筐体内に設けられる洗浄槽と、洗浄水を加圧する洗浄ポンプと、前記洗浄ポンプに接続されて洗浄水を噴射して食器類を洗浄する洗浄ノズルと、前記洗浄槽に外気を導入する送風装置と、前記洗浄槽内の空気を排気する排気経路と排気口とを備え、
前記排気経路は、上面を前記洗浄槽の天面を利用し、下面を排気ガイドにより形成されて前記洗浄槽の内部と前記排気口とを連通し、前記排気ガイドは、２重壁構造で中間空気層が構成されたことを特徴とする食器洗い機。
【請求項２】
前記排気ガイドは、少なくとも１つの前記中間空気層にリブを備えた請求項１に記載の食器洗い機。
【請求項３】
前記排気ガイドは、外カバーに内ガイドを嵌め合わせて構成された請求項１または２に記載の食器洗い機。
【請求項４】
前記排気経路は、前記洗浄槽の天面に配設された請求項１〜３のうちいずれか１項に記載の食器洗い機。
【請求項５】
前記内ガイドは、前記排気経路の入口から排気口へ向かって上り傾斜となるように形成された請求項４に記載の食器洗い機。
【発明の詳細な説明】
【技術分野】
【０００１】
本発明は、食器等の洗浄を行う食器洗い機に関する。
【背景技術】
【０００２】
従来の食器洗い機は、図６に示すように構成されていた（たとえば、特許文献１参照）。以下、その構成について説明する。図６は、従来の食器洗い機の側面断面図である。食器洗い機は、本体１０１内に食器類１０２を収容する洗浄槽１０３を有し、前面に開口部１０３ａを有する。この開口部１０３ａに、本体１０１の前面のほぼ最上部まで回動自在に開閉する扉体１０４が配設されている。本体１０１内の底部には、洗浄水を噴射する洗浄ノズル１０５が回転自在に配設されている。また、洗浄水と、送風手段１０６によって送風される空気とを加熱するヒータ１０７が配設されている。
【０００３】
排気口１０８は、本体１０１の上部前面に斜めに切り欠いたように設けられた凹部１０９に配設され、前方斜め上前方に臨むように構成されている。また、本体１０１内の天面に排気経路１１０が構成されている。排気経路１１０は、一端が排気口１０８に連通し、後部に吸い込み口１１２を有する。排気経路１１０は、下側の側面に前方に向かって前上がりの傾斜面１１１を有し、洗浄ノズル１０５から噴射される洗浄水が排気口１０８より外部に漏出しないように配設されている。
【０００４】
上記のように構成された食器洗い機について、その動作および作用を説明する。まず、使用者が扉体１０４を開放し、食器洗い機の本体１０１内に配置された食器かご１１３に汚れた食器類１０２を戴置する。つぎに、使用者が扉体１０４を閉め、運転を開始するように制御装置を操作する。制御装置は、洗い工程を行い、本体１０１内に洗浄水を給水する。制御装置は、本体１０１の底部に配置されたヒータ１０７によって洗浄水を加熱しながら、洗浄ポンプ１１４を駆動する。洗浄水は、洗浄ノズル１０５から食器類１０２に向けて噴射され、食器類１０２の汚れを落とす。その後、すすぎ工程を行い、洗浄水を入れ替えて食器類１０２をすすぐ。その後、乾燥工程を行い、ヒータ１０７によって空気を加熱しながら、送風手段１０６によって水分を多く含んだ加熱空気を排気口１０８より排出しつつ、食器類１０２および本体１０１内部を乾かす。制御装置は、以上の一連の工程を行って洗浄運転を終了する。
【先行技術文献】
【特許文献】
【０００５】
【特許文献１】特開２００５−２３０２２７号公報
【発明の概要】
【発明が解決しようとする課題】
【０００６】
しかしながら、このような従来の構成では、排気経路の吸い込み口と排気口が連通し、開放された状態となっている。このため、洗浄運転時に洗浄ノズルから噴射された洗浄水が食器類や洗浄槽の内壁に衝突することで発生する衝突音は、排気経路を通じて排気口から外部へ漏出していた。また、洗浄ノズルから噴射された洗浄水が洗浄槽の天面の排気経路に直接衝突すると、単純な構成の排気経路自体で大きな衝突音が発生し、排気口から外部へ漏出していた。このようにして、洗浄ポンプの騒音に排気口から漏出した衝突音が加わり、食器洗い機の騒音が増大するという問題があった。
【課題を解決するための手段】
【０００７】
本発明は、上記従来の課題を解決するもので、洗浄水を噴射して食器類を洗浄する食器
洗い機において、洗浄槽内の空気を排気する排気経路は、上面を洗浄槽の天面を利用し、下面を排気ガイドにより形成されて前記洗浄槽の内部と前記排気口を連通し、洗浄槽から排気口までの排気経路を形成する排気ガイドは、２重壁構造で中間空気層が構成されたものである。
【０００８】
これにより、排気経路を形成する排気ガイドが多重壁構造となって中間空気層を形成しているため、洗浄ノズルから噴射された洗浄水が排気ガイドに衝突して発生する衝突音が抑制される。また、洗浄槽の内壁や食器類に洗浄水が衝突して発生した衝突音を排気口まで伝わり難くして減衰させることにより排気口から外部へ漏出することを抑制し、食器洗い機の騒音を低減することができる。
【発明の効果】
【０００９】
排気経路を形成する排気ガイドに洗浄ノズルから噴射された洗浄水が衝突して発生する衝突音を抑制するとともに、洗浄槽の内壁や食器類に衝突して発生する衝突音を排気口まで伝わり難くして減衰させることにより排気口から外部へ漏出することを抑制し、食器洗い機の騒音を低減することができる。
【図面の簡単な説明】
【００１０】
【図１】本発明の実施の形態１における食器洗い機の側面断面図
【図２】本実施の形態における食器洗い機の排気ガイドの斜視図
【図３】本実施の形態における食器洗い機の排気ガイドの分解斜視図
【図４】本実施の形態における食器洗い機の排気ガイドを下から見た分解斜視図
【図５】本実施の形態における食器洗い機の排気ガイドの内ガイドの裏面の斜視図
【図６】従来の食器洗い機の側面断面図
【発明を実施するための形態】
【００１１】
第１の発明は、筐体と、前記筐体内に設けられる洗浄槽と、洗浄水を加圧する洗浄ポンプと、前記洗浄ポンプに接続されて洗浄水を噴射して食器類を洗浄する洗浄ノズルと、前記洗浄槽に外気を導入する送風装置と、前記洗浄槽内の空気を排気する排気経路と排気口とを備え、前記排気経路は、上面を前記洗浄槽の天面を利用し、下面を排気ガイドにより形成されて前記洗浄槽の内部と前記排気口とを連通し、前記排気ガイドは、２重壁構造で中間空気層が構成されたことを特徴とする食器洗い機である。
【００１２】
この構成により、排気経路を形成する排気ガイドが多重壁構造となって中間空気層を形成しているため、洗浄ノズルから噴射された洗浄水が排気ガイドに衝突して発生する衝突音が抑制される。また、洗浄槽の内壁や食器類に洗浄水が衝突して発生した衝突音を排気口まで伝わり難くして減衰させることにより排気口から外部へ漏出することを抑制し、食器洗い機の騒音を低減することができる。
【００１３】
第２の発明は、特に第１の発明において、前記排気ガイドは、少なくとも１つの前記中間空気層にリブを備えたものである。これによって、排気ガイドの強度が向上し、排気ガイド自体が振動し難くなり、衝突音をさらに抑制できる。同時に、温度変化が激しい洗浄槽内において、反りなどの変形を防止することができる。また、複数のリブにより形成される小さな空間内での音の反射効果を高め、排気経路に伝わる音をより減衰させることができる。
【００１４】
第３の発明は、特に第１または第２の発明において、前記排気ガイドは、前記外カバーに前記内ガイドを嵌め合わせて構成されたものである。これによって、排気ガイドを容易に多重壁構造に構成することができる。また、少なくとも外カバーと内ガイドのいずれかにリブを形成することにより、中間空気層に容易にリブを設けることができる。
【００１５】
第４の発明は、特に第１〜第３のいずれかの発明において、前記排気経路は、前記洗浄槽の天面に配設されたものである。これによって、乾燥工程において、洗浄槽内の高温多湿の空気を上部から効率よく排気することができる。
【００１６】
第５の発明は、特に第４の発明において、前記内ガイドは、前記排気経路の入口から排気口へ向かって上り傾斜となるように形成されたものである。これによって、洗浄ノズルから噴射された洗浄水が排気経路に入口から浸入した場合でも、その洗浄水を自然に洗浄槽内へ戻すことができる。また、排気経路の内部に汚れが溜まることを抑制することができる。
【００１７】
以下、本発明の実施の形態について、図を参照しながら説明する。なお、この実施の形態によって本発明が限定されるものではない。
【００１８】
（実施の形態１）
図１〜図５は、本発明の実施の形態１における食器洗い機を示すもので、キッチンカウンタの上などに設置される卓上型食器洗い機である。図１は、本実施の形態における食器洗い機の側面断面図である。図２は、本実施の形態における食器洗い機の排気ガイドの斜視図である。図３は、本実施の形態における食器洗い機の排気ガイドの分解斜視図である。図４は、本実施の形態における食器洗い機の排気ガイドを下から見た分解斜視図である。図５は、本実施の形態における食器洗い機の排気ガイドの内ガイドの裏面の斜視図である。
【００１９】
図１に示されるように、食器洗い機は、筐体１内に食器類２を収容する洗浄槽３が設けられ、前面に食器類２が出し入れされる開口部３ａを有する。この開口部３ａを開閉する扉体４が、上下に２分割して配設されている。洗浄槽３内には、食器類２が戴置される食器かご５が上下２段に設けられ、それぞれの食器かご５の下側に洗浄ノズル６が設けられている。
【００２０】
洗浄槽３の下側には、水道に接続されて洗浄水を供給する給水装置７と、洗浄槽３に溜められた洗浄水を加圧して洗浄ノズル６に送水する洗浄ポンプ８と、洗浄槽３内に外気を導入する送風装置９とが配設されている。洗浄ノズル６は、洗浄ポンプ８に接続され、回転しながら加圧された洗浄水を食器類２に向けて噴射する。ヒータ１０が洗浄槽３内の底部に配設されている。ヒータ１０は、洗い工程において循環する洗浄水を加熱し、乾燥工程において送風装置９によって送風される空気を加熱する。
【００２１】
排気口１１が、筐体１の上面の前側に配置されている。洗浄槽３に連通した送風装置９が運転されたとき、洗浄槽３内の空気が排気口１１から排出されるように構成されている。洗浄槽３内の天面に、一端を排気口１１に連通させた排気経路１２が、排気ガイド１３により形成されている。排気経路１２の他端は入口１２ａが形成され、洗浄槽３の上部に開放されている。排気経路１２は、上面を洗浄槽３の天面を利用するようにし、下面を排気ガイド１３が形成するようにして、排気ガイド１３が洗浄槽３の天面に下から装着されている。なお、排気ガイド１３自体が筒状でも良いし、排気経路１２の断面形状についても特に限定されるものではない。また、排気ガイド１３は、本実施の形態のように独立した部品で洗浄槽３に装着されてもよいし、洗浄槽３に一体に成形されてもよい。
【００２２】
また、制御装置１４が扉体４の下方に設けられている。制御装置１４は、給水装置７、洗浄ポンプ８、送風装置９、ヒータ１０などを制御し、食器洗い機の一連の洗浄運転を実行する。
【００２３】
図２〜図４に示されるように、排気ガイド１３は、外カバー１５に内ガイド１６が嵌め込まれて２重に構成されている。これによって、排気ガイド１３は２重壁構造となって中間空気層１３ａ（図１参照）を形成している。なお、２重壁構造は一体成形などで構成されても良く、特に限定されるものではない。また、本実施の形態では２重壁構造で説明するが、内ガイド１６を複数層重ねれば、容易に多重壁構造を構成することができる。
【００２４】
外カバー１５は、側面１５ａも２重に形成されている。洗浄槽３の天面の所定の位置に突起（図示せず）が設けられている。この突起が側面１５ａの２重壁の隙間に圧入されるように排気ガイド１３を装着することにより、排気ガイド１３が洗浄槽３の天面に密接して排気経路１２が形成される。さらに、排気経路１２の入口１２ａは、外カバー１５の下面となる部分で後部に細長く形成され、洗浄ノズル６から噴射される洗浄水が浸入しにくいようになっている。
【００２５】
内ガイド１６は、図４と図５に示されるように、中間空気層１３ａとなる内ガイド１６の下面に格子形状のリブ１７が設けられている。リブ１７の先端は外カバー１５の上面に接する程度の高さに形成されており、中間空気層１３ａを小さな空間に分割している。
【００２６】
上記のように構成された食器洗い機について、その動作および作用を説明する。
【００２７】
まず、使用者が扉体４を開放し、筐体１内の洗浄槽３に配置された食器かご５に汚れた食器類２を戴置する。つぎに、使用者が扉体４を閉め、運転を開始ように制御装置１４を操作する。制御装置１４は、洗い工程を行い、洗浄槽３内に洗浄水を給水する。制御装置１４は、洗浄槽３の底部に配置されたヒータ１０によって洗浄水を加熱しながら、洗浄ポンプ８を駆動する。洗浄ポンプ８が、洗浄水を加圧して洗浄ノズル６に送水すると、洗浄水は洗浄ノズル６から食器類２に向けて噴射され、食器類２の汚れを落とす。その後、制御装置１４はすすぎ工程を行い、洗浄水を入れ替えて食器類２をすすぐ。その後、乾燥工程を行い、ヒータ１０によって洗浄槽３内の空気を加熱しながら、送風装置９によって水分を多く含んだ加熱空気を排気口１１より排出しつつ、食器類２および洗浄槽３の内部を乾かす。制御装置１４は、以上の一連の工程を行って洗浄運転を終了する。
【００２８】
洗浄運転の洗い工程とすすぎ工程において、洗浄ノズル６から噴射された洗浄水は洗浄槽３の天面配設された排気ガイド１３に衝突し、衝突音を発生させる。しかしながら、排気ガイド１３が中間空気層１３ａを介して多重壁構造となっているため、衝突音が抑制される。また、洗浄槽３の内壁や食器類２に洗浄水が衝突して発生した衝突音が排気経路１２を介して排気口１１まで伝わり難くして減衰させることにより、排気口１１から外部へ漏出することを抑制し、食器洗い機の騒音を低減することができる。
【００２９】
また、排気ガイド１３の外カバー１５と内ガイド１６との間の中間空気層１３ａにリブ１７を備えることで、排気ガイド１３の強度が向上し、排気ガイド１３自体がより振動し難くなり、衝突音をさらに抑制できる。同時に、温度変化が激しい洗浄槽３の内部において、排気ガイド１３の反りなどの変形を防止することができる。また、複数のリブ１７により形成される小さな空間内での音の反射効果を高め、排気経路１２に伝わる音をより減衰させることができる。
【００３０】
また、排気ガイド１３は、外カバー１５に内ガイド１６を嵌め合わせて構成されたことによって、排気ガイド１３を容易に多重壁構造に構成することができる。また、少なくとも外カバー１５と内ガイド１６のいずれかにリブ１７を形成することにより、中間空気層１３ａに容易にリブ１７を設けることができる。
【００３１】
また、排気経路１２は、洗浄槽３の天面に配設されたことによって、乾燥工程において
、洗浄槽３内の高温多湿の空気を上部から効率よく排気することができる。そして、洗浄槽３内の上部に湿気が溜まり難く、洗浄槽３内を効率よく乾燥させることができる。
【００３２】
また、排気ガイド１３の内ガイド１６は、排気経路１２の入口１２ａから排気口１１へ向かって上り傾斜となるように形成されたことにより、洗浄ノズル６から噴射された洗浄水が排気経路１２に入口１２ａから浸入した場合でも、その洗浄水を自然に洗浄槽３内へ戻すことができる。これにより、排気経路１２の内部に汚れが溜まることを抑制することができる。
【００３３】
なお、排気ガイド１３を多重壁構造とすることで厚みが増して洗浄槽３の上部空間が減少する可能性がある。しかしながら、多重壁構造の効果が大きいため、その厚み分だけ洗浄槽３の上面を薄くすることが可能である。これによって騒音の低減効果が大きく減少することはなく、洗浄槽３の上部空間の減少を防止することができる。
【００３４】
また、本実施の形態においては、内ガイド１６のリブ１７を格子形状に形成したが、これに限られるものではなく、平行なリブや独立したリブ、多角形および円形などのリブでもよい。
【産業上の利用可能性】
【００３５】
以上のように、本発明にかかる食器洗い機は、洗浄時に洗浄ノズルから噴射された洗浄水が食器類や洗浄槽内に衝突することで発生する音を外部へ漏出することを抑制することができ、騒音を低減することができる。
【符号の説明】
【００３６】
１  筐体
２  食器類
３  洗浄槽
３ａ  開口部
４  扉体
５  食器かご
６  洗浄ノズル
７  給水装置
８  洗浄ポンプ
９  送風装置
１０  ヒータ
１１  排気口
１２  排気経路
１２ａ  入口
１３  排気ガイド
１３ａ  中間空気層
１４  制御装置
１５  外カバー
１５ａ  側面
１６  内ガイド
１７  リブ
【図１】
2018175998.tif 000003
【図２】
2018175998.tif 000004
【図３】
2018175998.tif 000005
【図４】
2018175998.tif 000006
【図５】
2018175998.tif 000007
【図６】
2018175998.tif 000008